(57)【要約】【課題】      表示用パネルの上下を逆にすることなく、点灯検査と修正とを共通の装置で行うことを可能にすることにある。【解決手段】  表示用パネルの処理装置は、表示用パネルをこれの薄膜トランジスタ及び配線が光フィルタより上側となる状態に受ける処理テーブルと、受けた表示用パネルをこれの下側から照明すべく処理テーブルに配置されたバックライトユニットと、表示用パネルの下方側から上昇されて接触子が表示用パネルの電極に押圧されるように処理テーブルに昇降可能に配置されたプローブユニットと、処理テーブルの上方にあって受けた表示用パネルの薄膜トランジスタ又は配線に処理用のレーザ光線を照射するレーザユニットとを含む。【選択図】          図３
2005221568.tif 000002
【特許請求の範囲】
【請求項１】
表示用パネルをこれの薄膜トランジスタ及び配線が光フィルタより上側となる状態に受ける処理テーブルと、受けた表示用パネルをこれの下側から照明すべく前記処理テーブルに配置されたバックライトユニットと、前記受けた表示用パネルの下方側から上昇されて接触子が前記受けた表示用パネルの電極に押圧されるように前記処理テーブルに昇降可能に配置されたプローブユニットと、前記処理テーブルの上方にあって前記受けた表示用パネルの前記薄膜トランジスタ又は前記配線に処理用のレーザ光線を照射するレーザユニットとを含む、表示用パネルの処理装置。
【請求項２】
さらに、前記表示用パネルを前記処理テーブルに対し受け渡す受け渡し装置を含む、請求項１又は２に記載の処理装置。
【請求項３】
前記受け渡し装置は、ベースと、該ベースに昇降可能に配置された移動体と、該移動体に水平の第１の方向へ間隔をおいて前記第１の方向と交差する水平の第２の方向へ伸びる状態に支持された一対の支持アームと、前記第２の方向に間隔をおいて前記第１の方向へ伸びる状態に各支持アームに配置された一対のクランプアームと、各対のクランプアームに個々に支持された一対のクランプ片とを備え、各対のクランプアームは、表示用パネルを受けるべく相寄る方向へ伸びる端部を有している、請求項２に記載の処理装置。
【請求項４】
さらに、前記受けた表示用パネルの少なくとも前記電極の配置箇所を前記受けた表示用パネルの上方から解除可能に押えるべく昇降可能に前記処理テーブルに配置されたパネル押えを含む、請求項１から３のいずれか１項に記載の処理装置。
【請求項５】
前記処理テーブルは、ワークテーブルと、該ワークテーブルの上に配置されたパネル受けであって上方に開放する箱状のパネル受けとを備え、前記プローブユニットは前記ワークテーブル又は前記パネル受けに配置されている、請求項１から４のいずれか１項に記載の処理装置。
【請求項６】
さらに、前記処理テーブルの上方にあって前記受けた表示用パネルを撮影するビデオカメラを含む、請求項１から５のいずれか１項に記載の処理装置。
【請求項７】
さらに、前記処理テーブルを、少なくとも、前記受けた表示用パネルを前記ビデオカメラで撮影可能の第１の位置と、前記レーザ光を前記受けた表示用パネルに照射可能の第２の位置とに選択的に移動させるテーブル移動機構を含む、請求項６に記載の処理装置。
【発明の詳細な説明】
【技術分野】
【０００１】
本発明は、液晶表示パネルのような表示用パネルの検査及び修正を行うことが可能の処理装置に関する。
【０００２】
用語の定義
本発明においては、ステージのような処理テーブルに受けた表示用パネルの厚さ方向を上下方向といい、その上下方向に交差する方向を水平方向という。また、以下の説明においては、水平方向における一方をＸ方向といい、他方向をＹ方向という。
【背景技術】
【０００３】
液晶表示パネルは、一般に、電極に配線を介して個々に接続された複数の薄膜トランジスタの側の基板と、カラーフィルタのような光フィルタの側の基板との間に液晶層を配置している。各表示画素は、薄膜トランジスタ及び配線により電極に対応されている。
【０００４】
そのような表示用パネルは、製造過程の途中及び終了時に、点灯状態が基準を満たしているか否かの点灯検査をされる。この点灯検査は、表示用パネルを背後（トランジスタの側）から照明した状態で、所定の薄膜トランジスタに通電することにより行われる。
【０００５】
この種の検査を行う点灯検査装置の１つとして、特許文献１に記載されたものがある。この点灯検査装置は、薄膜トランジスタ及び配線が液晶層及び光フィルタより下方側に位置するように表示用パネルを処理テーブルに受け、処理テーブルの上方に配置されたプローブユニットの接触子（プローブ）を表示用パネルの電極に押圧し、処理テーブルに配置されたバックライトユニットにより表示用パネルを下方から照明した状態で所定の電極に通電する。
【０００６】
点灯検査の結果、不良品となった表示用パネルは、良品と区別される。しかし、そのような不良品であっても、不良の発生具合によっては、薄膜トランジスタ又は配線の接続状態を修正することにより、上記基準を満たして良品となるものがある。
【０００７】
そのような修正を行う修正装置の１つとして、特許文献２に記載されたものがある。この修正装置は、レーザ光線を異常の表示画素に対応する配線又は薄膜トランジスタに照射して、異常の表示画素とそれに対応する電極との接続回線を変更することにより行われる。
【０００８】
【特許文献１】特開平１０−１６０６２９号公報
【特許文献２】特開２００１−９１９１９号公報
【０００９】
しかし、上記点灯検査装置は、点灯検査機能は有するが、修正機能を有していない。また、上記修正装置は、修正機能は有するが、点灯検査機能を備えていない。このため、従来では、点灯検査装置により異常表示画素を見つけ、その異常表示画素を修正装置により修正せざるを得なかった。
【００１０】
また、１つの装置で、点灯検査と修正とを実行可能にしようとすると、表示用パネルを裏返す作業及び装置が必要になり、その作業が面倒であり、装置自体が複雑化する。
【発明の開示】
【発明が解決しようとする課題】
【００１１】
本発明の目的は、表示用パネルの上下を逆にすることなく、点灯検査と修正とを共通の装置で行うことを可能にすることにある。
【課題を解決するための手段】
【００１２】
本発明に係る、表示用パネルの処理装置は、表示用パネルをこれの薄膜トランジスタ及び配線が光フィルタより上側となる状態に受ける処理テーブルと、受けた表示用パネルをこれの下側から照明すべく前記処理テーブルに配置されたバックライトユニットと、前記受けた表示用パネルの下方側から上昇されて接触子が前記受けた表示用パネルの電極に押圧されるように前記処理テーブルに昇降可能に配置されたプローブユニットと、前記処理テーブルの上方にあって前記受けた表示用パネルの前記薄膜トランジスタ又は前記配線に処理用のレーザ光線を照射するレーザユニットとを含む。
【発明の効果】
【００１３】
本発明の処理装置においては、プローブユニットが表示用パネルに対し、下方側から昇降可能であるから、表示用パネルを薄膜トランジスタ及び配線が光フィルタより上側となる状態（裏返しの状態、すなわち裏側を上方とした状態）に処理テーブルに配置し、その表示用パネルを下方側（表側）から照明すると共に、プローブユニットを上昇させて点灯検査をすることになる。このため、点灯検査においては、表示用パネルを裏側から検査する。
【００１４】
本発明の処理装置においては、また、レーザユニットが表示用パネルに対しプローブユニットと反対側に配置されているから、不良となった表示用パネルは、不良の状態に応じて、レーザ光線を異常の表示画素に対応する配線又は薄膜トランジスタに裏側から照射して、異常の表示画素とそれに対応する電極との接続回線を変更することにより、修正される。
【００１５】
上記の結果、本発明によれば、表示用パネルの上下を逆にすることなく、修正用のレーザ光線が光フィルタに照射することを防止することができると共に、点灯検査と修正とを共通の装置で行うことができる。
【００１６】
処理装置は、さらに、前記表示用パネルを前記処理テーブルに対し受け渡す受け渡し装置を含むことができる。
【００１７】
前記受け渡し装置は、ベースと、該ベースに昇降可能に配置された移動体と、該移動体に水平の第１の方向へ間隔をおいて前記第１の方向と交差する水平の第２の方向へ伸びる状態に支持された一対の支持アームと、前記第２の方向に間隔をおいて前記第１の方向へ伸びる状態に各支持アームに配置された一対のクランプアームと、各対のクランプアームに個々に支持された一対のクランプ片とを備えていてもよく、また各対のクランプアームは、表示用パネルを受けるべく相寄る方向へ伸びる端部を有していてもよい。
【００１８】
処理装置は、さらに、前記受けた表示用パネルの少なくとも前記電極の配置箇所を前記受けた表示用パネルの上方から解除可能に押えるべく昇降可能に前記処理テーブルに配置されたパネル押えを含むことができる。そのようにすれば、プローブユニットを上昇させて、接触子を電極に接触させても、処理テーブルに対する表示用パネルの移動が防止されるから、正確な検査及び修正をすることができる。
【００１９】
前記処理テーブルは、ワークテーブルと、該ワークテーブルの上に配置されたパネル受けであって上方に開放する箱状のパネル受けとを備え、前記プローブユニットは前記ワークテーブル又は前記パネル受けに配置されていてもよい。
【００２０】
処理装置は、さらに、前記処理テーブルの上方にあって前記受けた表示用パネルを撮影するビデオカメラを含むことができる。
【００２１】
処理装置は、さらに、前記処理テーブルを、少なくとも、前記受けた表示用パネルを前記ビデオカメラで撮影可能の第１の位置と、前記レーザ光を前記受けた表示用パネルに照射可能の第２の位置とに選択的に移動させるテーブル移動機構を含むことができる。
【発明を実施するための最良の形態】
【００２２】
図１〜図１３を参照するに、処理装置１０は、複数の電極を矩形の隣り合う一対の辺のそれぞれに備える表示用パネル１２の点灯検査と修正とに用いられる。図示の例では、表示用パネル１２は、長方形の平面形状を有している。
【００２３】
表示用パネル１２は、図示の例では、電極、配線及び薄膜トランジスタ（いずれも、図示せず）が配置された基板１４と、カラーフィルタのような光フィルタが配置された基板１６との間に液晶層（図示せず）を配置した液晶表示パネルである。
【００２４】
表示用パネル１２は、電極、配線、薄膜トランジスタ及び光フィルタが液晶に重なるように、基板１４及び１６を配置している。各表示画素は、薄膜トランジスタ及び配線により電極に対応されている。
【００２５】
処理装置１０は、表示用パネル１２を水平に受ける処理テーブル２０と、その表示用パネル１２を処理テーブル２０に対し受け渡す受け渡し装置２２と、処理テーブル２０を水平面内で二次元的に移動させるテーブル移動機構２４と、表示用パネル１２をこれの下側から照明すべく処理テーブル２０に配置されたバックライトユニット２６と、処理テーブル２０に昇降可能に配置された２組のプローブユニット２８と、表示用パネル１２の少なくとも電極の配置箇所を表示用パネル１２の上方から解除可能に押える複数のパネル押え３０と、表示用パネルを撮影するビデオカメラ３２と、表示用パネル１２に処理用のレーザ光線を照射するレーザユニット３４とを含む。
【００２６】
処理テーブル２０は、上下に開放する箱状のパネル受け３６を上下に開放する箱状のワークテーブル３８の上に組み付けている。ワークテーブル３８は、テーブル移動機構２４の上に組み付けられている。表示用パネル１２は、これの長手方向がＹ方向となる状態にパネル受け３６の上に水平に受けられる。
【００２７】
パネル受け３６及びワークテーブル３８は、いずれも、箱部とこの箱部の下端外周に続くフランジ部とにより、処理すべき表示用パネル１２の平面形状と相似の矩形の形状を有している。しかし、パネル受け３６とワークテーブル３８とは、一体的に形成されていてもよい。
【００２８】
パネル受け３６は、これの周辺部上端から上方に突出する３つの位置決めピン４０を備えている。２つの位置決めピン４０は、矩形の隣り合う辺の一対の辺の一方（長辺）にその一方の辺の方向に間隔をおいている。残りの位置決めピン４０は、矩形の隣り合う一対の辺の他方（短辺）の中央部に備えられている。
【００２９】
パネル受け３６は、上下方向に伸びて上方及び外方に開放する一対の凹所４２を長方形の対向する一対の長辺のそれぞれに備えている。受けた表示用パネル１２を解除可能に真空吸着する複数の吸着溝をパネル受け３６の上端面に形成してもよい。
【００３０】
受け渡し装置２２は、当該処理装置１０のフレーム（図示せず）に支持された受け渡しベース４４を備える。移動体４６は、ガイド４８により受け渡しベース４４に昇降可能に組み付けられており、昇降機構５０により昇降される。
【００３１】
図示の例では、受け渡しベース４４及び移動体４６は、ガイド４８を間にしてＸ方向に間隔をおいてＹ方向及び上下方向へ伸びる板状の部材であるが、他の形状を有する部材であってもよい。
【００３２】
各ガイド４８は、受け渡し受け渡しベース４４に上下方向へ伸びる状態に取り付けられたガイドレールと、移動体４６に取り付けられたコ字状のガイド部材とを組み合わせたリニアガイドとされている。昇降機構５０は、モータ５２と、モータ５２により回転及び昇降されるボールねじ機構とを備えた機構を用いることができる。
【００３３】
移動体４６は、Ｙ方向に間隔をおいてＸ方向に伸びる一対の支持アーム５４を片持ち梁状に支持している。各支持アーム５４は、Ｘ方向に間隔をおいた一対のクランプアーム５６を相寄り相離れる方向へ移動可能に支持している。各クランプアーム５６は、クランプ片５８を先端に支持している。
【００３４】
対をなすクランプ片５８は、対応するクランプアーム５６から下方に伸びて、相手のクランプ片５８の側に曲げられたＬ字状を有しており、またクランプ片駆動機構６０によるクランプアーム５６の移動にともなって相寄り相離れる方向へ移動されて、表示用パネル１２の受け渡しをする。
【００３５】
各クランプ片駆動機構６０は、モータ６２と無端ベルト６４とを用いた機構を用いることができる。無端ベルト６４は、モータ６２により駆動される駆動プーリとこの駆動プーリからＸ方向に間隔をおいた従動プーリとに巻掛けられている。両プーリは、Ｙ方向へ伸びる軸線の周りに回転される。
【００３６】
対をなすクランプアーム５６の一方は無端ベルト６４の上側部分に取り付けられており、他方は下側部分に取り付けられている。各クランプアーム５６の下端部は、パネル受け３６の凹所４２に受け入れられる大きさとされている。対をなす両クランプ片５８の下側先端部は、互いに相手側に向けて曲げられて、受け渡す表示用パネル１２の落下を防止する。
【００３７】
受け渡し装置２２は、表示用パネル１２をクランプ片５８の下端に把持した状態で、表示用パネル１２を搬送する。この状態において、表示用パネル１２の落下は、クランプ片５８の下端の水平部分（下側先端部）で防止される。
【００３８】
表示用パネル１２を処理テーブル２０に渡すとき、受け渡し装置２２は、以下のように作動される。表示用パネル１２の受け渡し時、プローブユニット２８とパネル押え３０とは、図６に示すように、パネル受け３６のパネル受け部から後退されている。
【００３９】
先ず、クランプ片５８が、表示用パネル１２を上記のように把持した状態で、クランプアーム５４と共に、処理テーブル２０の上方に移動されて、表示用パネル１２を処理テーブル２０の上方に移動させる。
【００４０】
次いで、クランプ片５８が、クランプアーム５４と共に下降されて、表示用パネル１２をパネル受け３６に載せる。このとき、各クランプ片５８はその下端部をパネル受け３６の凹所４２に受け入れられる。
【００４１】
次いで、対をなすクランプ片５８が大きく離間されて、表示用パネル１２を処理テーブル２０に渡す。
【００４２】
その後、クランプ片５８がクランプアーム５４と共に上昇される。
【００４３】
処理テーブル２０上の表示用パネル１２を除去するとき、受け渡し装置２２は、上記と逆に作動される。
【００４４】
テーブル移動機構２４は、処理テーブル２０をＸ方向及びＹ方向に移動させるＸ移動機構及びＹ移動機構とを備えている。
【００４５】
Ｙ移動機構は、一対のＹガイドレール６６を当該処理装置１０の底板６８の上にＸ方向に間隔をおいてＹ方向へ並行に伸びる状態に取り付け、Ｘ方向へ伸びる板状のＹベース７０をＹガイドレール６６に移動可能に結合されたコ字状の複数のＹガイド部材７２によりＹガイドレール６６に組み付けている。
【００４６】
Ｘ移動機構は、一対のＸガイドレール７４をＹベース７０の上にＹ方向に間隔をおいてＸ方向へ並行に伸びる状態に取り付け、板状のＸベース７６をＸガイドレール７４に移動可能に結合されたコ字状の複数のＸガイド部材７８によりＸガイドレール７４に組み付けている。
【００４７】
処理テーブル２０のワークテーブル３８は、Ｘベース７６の上に組み付けられている。このため、テーブル移動機構２４は、Ｙベース７０及びＸベース７６が、それぞれ、モータ８０及び８２を用いた駆動機構によりＹ方向及びＸ方向へ移動されることにより、処理テーブル２０を二次元的に移動させる。
【００４８】
バックライトユニット２６は、処理テーブル２０のワークテーブル３８内に配置されて、テーブル移動機構２４のＸベース７６の上に支持されている。このため、表示用パネル１２は下方から照明される。バックライトユニット２６からの光を通過させる透明体をパネル受け３６に配置してもよい。
【００４９】
一方の組のプローブユニット２８はＹ方向に間隔をおいた４つのプローブブロック８４を備えており、他方の組のプローブユニット２８はＸ方向に間隔をおいた２つのプローブブロック８４を備えている。各プローブブロック８４は、ブロック昇降機構８６により昇降される。各ブロック昇降機構８６は、取付板８８及び９０によりパネル受け３６のフランジ部に支持されている。
【００５０】
各プローブブロック８４は、表示用パネル１２の電極に個々に対応された複数の接触子９２をＸ方向又はＹ方向に整列されて上方に伸びる状態に備えている。それらの接触子９２の上端の高さ位置は同じとされている。
【００５１】
各ブロック昇降機構８６は、エアーシリンダのようなシリンダ機構を用いることができる。プローブブロック８４を組毎に共通の支持ベースに取り付けて、その支持ベースを組毎のブロック昇降機構により同時に昇降させてもよい。
【００５２】
各パネル押え３０は、プローブブロック８４に対応されている。このため、パネル押え３０も２つの組に分けられている。
【００５３】
各パネル押え３０は、押え片９４を昇降部材９６の先端に接触子９２の先端と対向する状態に備えており、また昇降部材９６を押え片昇降機構９８に取り付けている。
【００５４】
各押え片９４は、硬質ゴムのような弾性材料により製作されている。押え片昇降機構９８は、取付板９０及び１００によりパネル受け３６のフランジ部に支持されている。
【００５５】
押え片昇降機構９８も、エアーシリンダのようなシリンダ機構を用いることができる。パネル押え３０も、組毎に共通の支持ベースに取り付けて、その支持ベースを組毎の押え片昇降機構９８により同時に昇降させてもよい。
【００５６】
プローブブロック８４及びパネル押え３０は、昇降機構８６及び９８により相寄る方向及び相離れる方向に同期して移動される。しかし、プローブブロック８４及びパネル押え３０を、共通の昇降機構により逆に移動させるようにしてもよい。
【００５７】
表示用パネル１２は、プローブブロック８４及びパネル押え３０が相寄る方向へ移動されることにより、縁部を接触子９２の上端と押え片９４とに挟持され、プローブブロック８４及びパネル押え３０が相離れる方向へ移動されることにより挟持を解除される。
【００５８】
各接触子９２は、これと押え片９４とで表示用パネル１２を挟持しているとき、上端を表示用パネル１２の電極に押圧している。この状態で、表示用パネル１２に通電して、点灯検査をすることができる。
【００５９】
プローブユニット２８及びパネル押え３０を支持する取付板９０は、シリンダ機構のようなスライド機構１０２により、パネル受け３６のパネル受け部に対して移動される。
【００６０】
図示の例では、スライド機構１０２をプローブユニット２８及びパネル押え３０の対毎に設けているが、スライド機構１０２をプローブユニット２８及びパネル押え３０の組毎に設けてもよい。この場合、取付板８８、９０、１００を組毎に共通の部材としてもよい。
【００６１】
ビデオカメラ３２は、カメラ昇降機構１０４を介して、当該処理装置１０のフレームに支持されており、また点灯検査時に表示用パネル１２に対し所定の高さ位置に維持されて、点灯された表示用パネル１２を撮影する。
【００６２】
レーザユニット３４は、レーザ昇降機構１０６を介して、当該処理装置１０のフレームに支持されており、また接続回線の修正時に表示用パネル１２に対し所定の高さ位置に維持される。レーザユニット３４は、図示しない制御装置により制御されて、処理用のレーザ光線を発生する。
【００６３】
カメラ昇降機構１０４及びレーザ昇降機構１０６は、いずれも、モータ１０８及び１１０を利用するボールねじ機構を用いることができる。
【００６４】
処理装置１０は、また、パネル受け３６に載せられた表示用パネル１２を位置決めピン４０に向けて押す一対のプッシャ１１２を含む。両プッシャ１１０の一方及び他方は、それぞれ、表示用パネル１２をＸ方向及びＹ方向に押すように、パネル受け３６に配置されている。
【００６５】
表示用パネル１２は、パネル受け３６に載せられた状態で、プッシャ１１２によりＸ方向及びＹ方向へ移動されて、位置決めピン４０に当接することにより、パネル受け３６に対して位置決められる。
【００６６】
表示用パネル１２の点灯検査時、処理装置１０は以下のように作動される。
【００６７】
先ず、処理テーブル２０がテーブル移動機構２４により、Ｘ方向及びＹ方向に移動されて、受け渡し位置兼点灯検査位置に移動される。しかし、受け渡し位置と点灯検査位置とは別個の位置であってもよい。
【００６８】
次いで、表示用パネル１２が受け渡し装置２２によりパネル受け３６に載置される。この状態において、プローブユニット２８及びパネル押え３０は、図６に示す位置に後退されている。
【００６９】
次いで、クランプ片５６が上昇されかつプローブユニット２８及びパネル押え３０が上下に大きく離間された状態で、プローブユニット２８及びパネル押え３０がパネル受け３６のパネル受け部に向けて前進される。
【００７０】
次いで、プローブユニット２８及びパネル押え３０が相寄る方向に移動される。これにより、図７に示すように、パネル受け３６に受けられた表示用パネル１２は、縁部を接触子９２の上端と押え片９４とに挟持される。
【００７１】
上記状態で、バックライトユニット２６が点灯されると共に、表示用パネル１２に通電され、その表示用パネル１２の点灯状態がビデオカメラ３２により撮影される。
【００７２】
ビデオカメラ３２の出力信号は、図示しない画像処理装置に供給されて、この画像処理装置において表示用パネル１２の良否を判定される。表示用パネル１２の良否の判定は、点灯状態が基準を満たしているか否かにより行われる。
【００７３】
上記の点灯検査の結果、良品であれば、処理装置１０は、パネル受け３６からのパネル除去に移行して、点灯検査を終了する。
【００７４】
しかし、不良品であると、処理装置１０は、不良表示画素の座標位置を確認し、不良画素に対応する接続回線を修理することにより良品になるか否かの判定を行う。
【００７５】
この判定の結果、良品に修正され得ない表示用パネルであると、処理装置１０はパネル受け３６からのパネル除去に移行する。これにより、点灯検査が終了する
【００７６】
しかし、良品に修正可能であると、処理装置１０は、回線修正処理に移行する。この回線修正処理は、以下のように実行される。
【００７７】
先ず、レーザユニット３４からの光線が修理すべき回線箇所に照射するように、処理テーブル２０がテーブル移動機構２４によりＸ方向及びＹ方向に移動される。
【００７８】
次いで、レーザユニット３４が所定の高さ位置に移動され、その状態において修理すべき回線箇所にレーザ光線が照射される。これにより、修理すべき回線箇所が切断のような処理をされて、不良表示画素への接続回線が変更される。
【００７９】
１以上の回線箇所の修理が終了すると、再度の点灯検査を行うべく受け渡し位置兼点灯検査位置に戻されて、点灯検査をされる。これにより、一回の修理処理が終了する。
【００８０】
パネル受け３６からのパネル除去は、以下のように実行される。
【００８１】
先ず、プローブブロック８４及びパネル押え３０が、相離れる方向へ移動されて、表示用パネル１２の挟持を解除する。
【００８２】
次いで、プローブブロック８４及びパネル押え３０がパネル受け３６のパネル受け部から後退された後、検査済みの表示用パネル１２が受け渡し装置２２により処理テーブル２０から除去される。これにより、除去処理が終了する。
【産業上の利用可能性】
【００８３】
上記の実施例は、ビデオカメラ３２を用いる自動点灯検査の場合であるが、本願発明は作業者の目視による目視点灯検査にも適用することができる。この場合、ビデオカメラ３２は不要である。
【００８４】
また、本発明は、表示用パネルの受け渡しを、受け渡し装置により自動的に行う装置のみならず、作業者の手で行う装置にも適用することができる。さらに、本発明は、表示用パネルを、水平の状態で処理する装置のみならず、斜めの状態で処理する装置にも適用することができる。
【００８５】
本発明は、上記実施例に限定されず、その趣旨を逸脱しない限り、種々変更することができる。
【図面の簡単な説明】
【００８６】
【図１】本願発明に係る処理装置の一実施例を示す正面図である。
【図２】図１に示す処理装置の斜視図である。
【図３】図１に示す処理装置で用いる処理ステージ及びその近傍の一実施例を示す斜視図である。
【図４】図３における４−４線に沿って得た断面図である。
【図５】図１に示す処理装置で用いる受け渡し装置の一実施例を示す斜視図である。
【図６】プローブユニットとパネル押えの動作を説明するための断面図であって点灯検査時以外のときの状態を示す。
【図７】プローブユニットとパネル押えの動作を説明するための断面図であって点灯検査時のときの状態を示す。
【符号の説明】
【００８７】
１０  処理装置
１２  表示用パネル
２０  処理テーブル
２２  受け渡し装置
２４  テーブル移動機構
２６  バックライトユニット
２８  プローブユニット
３０  パネル押え
３２  ビデオカメラ
３４  レーザユニット
３６  パネル受け
３８  ワークテーブル
４０  位置決めピン
４２  凹所
４４  受け渡しベース
４６  移動体
４８  ガイド
５０  昇降機構
５２  モータ
５４  支持アーム
５６  クランプアーム
５８  クランプ片
６０  クランプ片駆動機構
６２  モータ
６４  無端ベルト
８４  プローブブロック
８６  ブロック昇降機構
８８，９０，１００  取付板
９２  接触子
９４  押え片
９６  昇降部材
９８  押え片昇降機構
１０２  スライド機構
１０４  カメラ昇降機構
１０６  レーザ昇降機構
１０８、１１０  モータ
１１２  プッシャ
【図１】
2005221568.tif 000003
【図２】
2005221568.tif 000004
【図３】
2005221568.tif 000005
【図４】
2005221568.tif 000006
【図５】
2005221568.tif 000007
【図６】
2005221568.tif 000008
【図７】
2005221568.tif 000009